(57)【要約】【課題】洗浄水の直進流と旋回流とを安定的に噴出可能として局部洗浄を適切に行う。【解決手段】人体局部に洗浄水を噴出する噴出口と、所定の供給路から供給された洗浄水を旋回流とする旋回流室と、を有し、噴出口から直進流と旋回流とを噴出可能な洗浄ノズルにおいて、旋回流室の底面の中央から噴出口に向かって円柱状に延在し、噴出口との間に所定の隙間を形成する円柱状部を備え、円柱状部には、隙間を隔てて噴出口に連通するように軸方向に沿って直線状に貫通し、所定の供給路とは別の供給路から供給された洗浄水を直進流とする直線状流路が設けられる。【選択図】図４
2019124082.tif 000002
【特許請求の範囲】
【請求項１】
人体局部に洗浄水を噴出する噴出口と、所定の供給路から供給された洗浄水を旋回流とする旋回流室と、を有し、前記噴出口から直進流と旋回流とを噴出可能な洗浄ノズルであって、
前記旋回流室の底面の中央から前記噴出口に向かって円柱状に延在し、前記噴出口との間に所定の隙間を形成する円柱状部を備え、
前記円柱状部には、前記隙間を隔てて前記噴出口に連通するように軸方向に沿って直線状に貫通し、前記所定の供給路とは別の供給路から供給された洗浄水を直進流とする直線状流路が設けられる
洗浄ノズル。
【請求項２】
請求項１に記載の洗浄ノズルであって、
前記円柱状部は、軸方向における高さが前記隙間の高さよりも高くなるように延在する
洗浄ノズル。
【請求項３】
請求項１または２に記載の洗浄ノズルであって、
前記旋回流室は、円筒状の内壁面を有し、前記内壁面の接線方向に沿って前記所定の供給路が接続される
洗浄ノズル。
【請求項４】
請求項３に記載の洗浄ノズルであって、
前記旋回流室は、前記円筒状の内壁面の上端から前記噴出口側に向かうにつれて内径が徐々に小さくなるテーパ状の内壁面を有する
洗浄ノズル。
【請求項５】
請求項１ないし４のいずれか１項に記載の洗浄ノズルであって、
前記噴出口は、内径が前記直線状流路の内径よりも大きくなるように形成される
洗浄ノズル。
【請求項６】
請求項１ないし５のいずれか１項に記載の洗浄ノズルと、
前記所定の供給路と前記別の供給路とに供給される洗浄水の水量を使用者の調整操作に基づいて調整可能な供給水量調整部と、
を備える衛生洗浄装置。
【発明の詳細な説明】
【技術分野】
【０００１】
本発明は、洗浄ノズルおよび衛生洗浄装置に関する。
【背景技術】
【０００２】
従来、この種の洗浄ノズルとしては、噴出口から人体局部に洗浄水を噴出する洗浄ノズルにおいて、狙いの洗浄位置にピンポイントで洗浄水を当てるように水流が直線状の直進流と、比較的広い洗浄範囲に洗浄水を当てるように水流が旋回状（螺旋状）の旋回流とを噴出可能なものが提案されている（例えば、特許文献１参照）。この洗浄ノズルでは、噴出口と同軸に形成された円形状のチャンバーを有し、チャンバーの内壁の接線方向に９０度間隔で設けられた開口から洗浄水を流入させることで、チャンバー内で旋回流を生成して噴出口から噴出させる。また、チャンバーの底に形成された貫通孔からチャンバーの軸方向上向きに洗浄水を流入させることで、チャンバー内を通った直進流を噴出口から噴出させる。このように、直進流と旋回流とを噴出させることで、使用者の好みに応じた洗浄に応えるものとしている。
【先行技術文献】
【特許文献】
【０００３】
【特許文献１】特許第４１７８３５３号公報
【発明の概要】
【発明が解決しようとする課題】
【０００４】
しかしながら、上述した洗浄ノズルでは、直進流がチャンバー内を通って噴出されることから、チャンバー内を通る間に流れが乱れることがある。特に、旋回流と同時に直進流を噴出する場合には、チャンバー内で生成される旋回流の影響により、直進流の直進性が乱れて狙いの洗浄位置にピンポイントで洗浄水を当てることが困難となり、使用者の望む洗浄感が得られないことがある。一方で、噴出口の内径を絞ることにより直進流の直進性を安定させることも考えられるが、噴出口から噴出される旋回流の旋回径も小さくなって洗浄範囲も狭くなるため、旋回流の効果を十分に発揮できず洗浄感が損なわれることがある。
【０００５】
本発明は、洗浄水の直進流と旋回流とを安定的に噴出可能として局部洗浄を適切に行うことを主目的とする。
【課題を解決するための手段】
【０００６】
本発明は、上述の主目的を達成するために以下の手段を採った。
【０００７】
本発明の洗浄ノズルは、人体局部に洗浄水を噴出する噴出口と、所定の供給路から供給された洗浄水を旋回流とする旋回流室と、を有し、前記噴出口から直進流と旋回流とを噴出可能な洗浄ノズルであって、前記旋回流室の底面の中央から前記噴出口に向かって円柱状に延在し、前記噴出口との間に所定の隙間を形成する円柱状部を備え、前記円柱状部には、前記隙間を隔てて前記噴出口に連通するように軸方向に沿って直線状に貫通し、前記所定の供給路とは別の供給路から供給された洗浄水を直進流とする直線状流路が設けられることを要旨とする。
【０００８】
本発明の洗浄ノズルでは、旋回流室の底面の中央から噴出口に向かって円柱状に延在し、噴出口との間に所定の隙間を形成する円柱状部を備え、円柱状部には、隙間を隔てて噴出口に連通するように軸方向に沿って直線状に貫通し、所定の供給路とは別の供給路から供給された洗浄水を直進流とする直線状流路が設けられる。円柱状部を貫通する直線状流路により洗浄水を直進流とすることで、旋回流室における流れの影響が直進流に及ぶのを抑えて直進流を安定させることができる。また、円柱状部の外壁面周りに洗浄水の旋回を促進させることができるから、直進流を安定させるために円柱状部を設けたとしても旋回流を安定させることができる。これらの結果、洗浄水の直進流と旋回流とを安定的に噴出可能として局部洗浄を適切に行うことができる。なお、直進流は、噴出口から軸中心方向に沿って洗浄水が直進するように噴出される流れであり、旋回流は、噴出口から軸中心周りに洗浄水が旋回するように噴出される流れである。
【０００９】
本発明の洗浄ノズルにおいて、前記円柱状部は、軸方向における高さが前記隙間の高さよりも高くなるように延在するものとしてもよい。こうすれば、直線状流路を長くして直進流の直進性を向上させると共に隙間の高さを低くして直進流に旋回流室内の流れの影響が及ぶのをより抑えることができるから、直進流をさらに安定させることができる。
【００１０】
本発明の洗浄ノズルにおいて、前記旋回流室は、円筒状の内壁面を有し、前記内壁面の接線方向に沿って前記所定の供給路が接続されるものとしてもよい。こうすれば、旋回流室に流入した洗浄水が、円柱状部の外壁面と旋回流室の内壁面との間の環状の流路に沿って流れることで旋回流となるから、安定した旋回流を容易に生成することができる。
【００１１】
本発明の洗浄ノズルにおいて、前記旋回流室は、前記円筒状の内壁面の上端から前記噴出口側に向かうにつれて内径が徐々に小さくなるテーパ状の内壁面を有するものとしてもよい。こうすれば、テーパ状の内壁面に沿って旋回流の旋回径を徐々に小さくさせながら旋回流を噴出口まで到達させることができるから、旋回流の旋回性が損なわれないようにして旋回流をさらに安定させることができる。
【００１２】
本発明の洗浄ノズルにおいて、前記噴出口は、内径が前記直線状流路の内径よりも大きくなるように形成されるものとしてもよい。ここで、直線状流路により直進流を安定させることができるから、噴出口の内径を直線状流路の内径より大きくしても直進流の直進性が大きく損なわれることはない。また、噴出口の内径を大きくすることで旋回径のより大きな旋回流を噴出させることができるから、旋回流による洗浄範囲を広げて洗浄効果を高めることができる。
【００１３】
本発明の衛生洗浄装置は、上述したいずれかの洗浄ノズルと、前記所定の供給路と前記別の供給路とに供給される洗浄水の水量を使用者の調整操作に基づいて調整可能な供給水量調整部と、を備えることを要旨とする。このため、洗浄ノズルの噴出口から洗浄水の直進流と旋回流とを安定的に噴出可能として局部洗浄を適切に行うことができる。また、各供給路から供給される洗浄水の水量を調整することで、直進流と旋回流とを同時に噴出する場合の両者の流量比を変化させることができるから、使用者の好みの洗浄感をより適切に与えることができる。
【図面の簡単な説明】
【００１４】
【図１】衛生洗浄装置１０が取り付けられた便器１の外観斜視図である。
【図２】衛生洗浄装置１０の構成の概略を示す構成図である。
【図３】洗浄ノズル３０の外観図である。
【図４】図３のＡ−Ａ断面図である。
【図５】図４のＢ−Ｂ断面図である。
【図６】洗浄ノズル３０の先端部材３５の外観図である。
【図７】図６のＣ−Ｃ断面図である。
【図８】図７のＤ−Ｄ断面図である。
【図９】図７のＥ−Ｅ断面図である。
【図１０】洗浄ノズル３０の要部の内部構成を拡大して示す拡大斜視図である。
【図１１】洗浄ノズル３０から洗浄水を噴出する様子の説明図である。
【図１２】洗浄ノズル３０から洗浄水を噴出する様子の説明図である。
【図１３】変形例の先端部材１３５の構成図である。
【発明を実施するための形態】
【００１５】
次に、本発明を実施するための形態について説明する。
【００１６】
図１は衛生洗浄装置１０が取り付けられた便器１の外観斜視図であり、図２は衛生洗浄装置１０の構成の概略を示す構成図である。図３は洗浄ノズル３０の外観図であり、図４は図３のＡ−Ａ断面図であり、図５は図４のＢ−Ｂ断面図である。図６は洗浄ノズル３０の先端部材３５の外観図であり、図７は図６のＣ−Ｃ断面図であり、図８は図７のＤ−Ｄ断面図であり、図９は図７のＥ−Ｅ断面図である。
【００１７】
便器１は、洋式便器であり、便器１の上面に衛生洗浄装置１０が設置されている。衛生洗浄装置１０は、図１に示すように、便器１の後方に設置される洗浄装置本体１１と、洗浄装置本体１１に回動自在に支持された便座１２および便蓋１３と、使用者により操作される操作パネル１４とを備える。
【００１８】
洗浄装置本体１１は、図１，図２に示すように、人体局部を洗浄する洗浄ノズル３０を有するノズルユニット２０と、衛生洗浄装置１０全体を制御する制御装置６０とを備える。洗浄ノズル３０は、後述するように、人体局部を洗浄するための洗浄水として、直線状の直進流と旋回状（螺旋状、逆円錐状）の旋回流とを噴出可能となっている。ノズルユニット２０は、図２に示すように、給水源からの給水を所定の給水圧に減圧する給水減圧弁２２と、給水減圧弁２２を通過した洗浄水を加熱するヒータや温度センサが設けられた熱交換ユニット２３と、熱交換ユニット２３の出口側で分岐した分岐流路２１ａを流れる直進流用の洗浄水の流量を調整する直進流量調整弁２４と、熱交換ユニット２３の出口側で分岐した分岐流路２１ｂを流れる旋回流用の洗浄水の流量を調整する旋回流量調整弁２５と、を備える。
【００１９】
洗浄ノズル３０は、図３〜図９に示すように、伸縮しない単段式の軸状部材として構成されたノズル本体３１と、ノズル本体３１の下面に設けられたラックギヤ３２と、図示しない供給ホースが接続される接続部３３とを備える。ノズル本体３１は、基端側の基端部材３４と、基端部材３４の先端に取り付けられ洗浄水の噴出口３８が設けられた先端部材３５とにより構成される。ノズルユニット２０は、図示は省略するが、ラックギヤ３２に噛み合うピニオンギヤと、ピニオンギヤを介してラックギヤ３２に駆動力を伝達する駆動モータとを備えており、駆動モータの正回転または逆回転により洗浄ノズル３０を洗浄位置と収容位置との間で進退移動させる。接続部３３は、直進流用接続口３３ａと、旋回流用接続口３３ｂとを有する。直進流用接続口３３ａには、一端が直進流量調整弁２４に接続された供給ホースの他端が接続され、旋回流用接続口３３ｂには、一端が旋回流量調整弁２５に接続された供給ホースの他端が接続される。
【００２０】
ノズル本体３１は、直進流用供給路３６と、旋回流用供給路３７との２つの供給路を有する。直進流用供給路３６は、直進流用接続口３３ａに接続される供給ホースからの洗浄水を噴出口３８側まで供給するように、基端部材３４内と先端部材３５内とにわたって形成される。旋回流用供給路３７は、旋回流用接続口３３ｂに接続される供給ホースからの洗浄水を噴出口３８側まで供給するように、基端部材３４内と先端部材３５内とにわたって形成される。基端部材３４内では、旋回流用供給路３７が軸方向に沿って延在する断面円形状の流路として形成され、直進流用供給路３６が軸方向に沿って旋回流用供給路３７を囲むように延在する断面略円環状の流路として形成されている。また、先端部材３５内では、直進流用供給路３６が断面円形状の流路として形成され、旋回流用供給路３７が断面略矩形状の流路として形成されている。なお、直進流用供給路３６は、基端部材３４の略円環状の流路における下部側に先端部材３５の断面円形状の流路が部分的に連通する。
【００２１】
また、ノズル本体３１は、先端部材３５内に噴出口３８の軸中心と同軸となる略円筒状空間として画成された旋回流室４１を有する。旋回流室４１は、円形状の底面４１ａと、円筒状の内壁面４１ｂと、内壁面４１ｂの上端から上方に向かうにつれて内径が徐々に小さくなるテーパ状の内壁面４１ｃとを有する。旋回流室４１は、テーパ状の内壁面４１ｃの上端で噴出口３８に接続されている。旋回流室４１は、図９に示すように、円筒状の内壁面４１ｂの接線方向に沿って旋回流用供給路３７が接続されており、旋回流用供給路３７から流入した洗浄水は内壁面４１ｂに沿って旋回することで旋回流となる。また、旋回流室４１内には、底面４１ａの中央から上方の噴出口３８に向かって延在すると共に噴出口３８との間に所定の隙間４１ｄを形成する円筒部４４が設けられている。この円筒部４４には、軸中心に沿って直線状に貫通した断面円形状の直線状流路４５が設けられている。直線状流路４５は、上端が隙間４１ｄを隔てて噴出口３８に連通すると共に、旋回流室４１の底面４１ａよりも下方に延在し下端が直進流用供給路３６に接続される。このため、直進流用供給路３６から供給された洗浄水は、直線状流路４５を通って直進流となる。
【００２２】
図１０は洗浄ノズル３０の要部の内部構成を拡大して示す拡大斜視図である。本実施形態では、図示するように、直線状流路４５は噴出口３８と同軸で且つ噴出口３８の内径φａが直線状流路４５の内径（流路径）φｂよりも大きくなるように、噴出口３８と直線状流路４５とが形成される。また、円筒部４４の上端と噴出口３８の下端との間の隙間４１ｄの高さＨｇと、円筒部４４の軸方向における高さＨｃとにおいて、円筒部４４の高さＨｃが隙間４１ｄの高さＨｇよりも大きくなるように、円筒部４４が設けられる。
【００２３】
制御装置６０は、図示は省略するが、ＣＰＵを中心とするマイクロコンピュータとして構成されており、ＣＰＵの他にＲＯＭやＲＡＭ，入出力ポートなどを備える。制御装置６０には、図２に示すように、操作パネル１４からの操作信号や着座センサ１５からの検知信号などが入力ポートを介して入力される。また、制御装置６０からは、給水減圧弁２２への駆動信号や熱交換ユニット２３への駆動信号，直進流量調整弁２４への駆動信号，旋回流量調整弁２５への駆動信号，洗浄ノズル３０の駆動モータへの駆動信号などが出力ポートを介して出力される。なお、操作パネル１４には、局部の洗浄開始を指示する洗浄スイッチ１４ａや洗浄停止を指示する停止スイッチ１４ｂ、洗浄水の勢いを調整する水勢調整スイッチ１４ｃ、直進流と旋回流の流量比（割合）を調整する流量比調整スイッチ１４ｄなどが設けられている。流量比調整スイッチ１４ｄは、例えばダイアル式のスイッチにより洗浄ノズル３０から噴出する洗浄水における直進流と旋回流との流量比を変更可能となっている。なお、使用者は、流量比調整スイッチ１４ｄを操作することで、直進流のみを吐出させる状態としたり、旋回流のみを吐出させる状態としたり、直進流と旋回流とを好みの流量比で吐出させる状態としたりすることができる。制御装置６０は、使用者による流量比調整スイッチ１４ｄの操作に基づいて、直進流量調整弁２４や旋回流量調整弁２５への駆動信号を生成して出力する。
【００２４】
次に、こうして構成された衛生洗浄装置１０の動作、特に、洗浄ノズル３０から噴出される洗浄水の状態について説明する。図１１，図１２は洗浄ノズル３０から洗浄水を噴出する様子の説明図である。図１１は直進流のみを噴出する様子、図１２は直進流と旋回流とを噴出する様子であり、直進流を実線で示し旋回流を点線で示す。なお、旋回流のみを噴出する状態の図示は省略する。
【００２５】
図示するように、直進流用供給路３６から供給され直線状流路４５に流入した洗浄水は、直線状流路４５を通って円筒部４４の軸方向に沿った直進流とされて噴出口３８から噴出される。直線状流路４５は、円筒部４４内に設けられているため、旋回流室４１内の旋回流の影響を殆ど受けることはないから、直進流の直進性を安定させることができる。また、直線状流路４５から噴出口３８までには隙間４１ｄがあるが、円筒部４４の高さＨｃが隙間４１ｄの高さＨｇよりも大きいため、直線状流路４５を長くして直進流の直進性を向上させつつ、隙間４１ｄを小さくして隙間４１ｄを通る際の旋回流の影響を抑えて直進流の直進性が損なわれるのを抑制することができる。一方、旋回流室４１に流入した洗浄水は、円筒状の内壁面４１ｂに沿って流れるだけでなく、旋回流室４１に設けられた円筒部４４の外壁面周りに流れることで旋回が促進されるから、円筒部４４を設けたとしても旋回流を安定して生成することができる。また、旋回流室４１の上部のテーパ状の内壁面４１ｃに沿って、旋回径を徐々に小さくしながら旋回流が噴出口３８まで到達することになるため、旋回流の旋回性が損なわれるのを抑制することができる。また、噴出口３８の内径φａを直線状流路４５の内径φｂよりも大きくして、噴出される旋回流の旋回径を大きくすることができるから、旋回流による人体局部の洗浄範囲を広くすることができる。なお、直線状流路４５の内径φｂは噴出口３８の内径φａよりも小さくして直進性の確保に適した内径とすることができるから、噴出口３８の内径φａを大きくしても直進流の直進性が大きく損なわれることはない。このように、本実施形態では、直進流と旋回流とをいずれも安定的に噴出することができるから、直進流と旋回流とを同時に噴出させる場合でも、直進流によるピンポイントの洗浄と旋回流による広範囲の洗浄とを両立させることができる。即ち狭い洗浄範囲から広い洗浄範囲までの洗浄に対応することができる。また、使用者は直進流と旋回流との流量比を調整することができるから、使用者の好みの洗浄を実現することができる。
【００２６】
以上説明した衛生洗浄装置１０は、洗浄ノズル３０が、旋回流室４１の底面４１ａの中央から延在する円筒部４４を備え、円筒部４４には軸方向に沿って直線状に貫通し供給された洗浄水を直進流とする直線状流路４５が形成される。これにより、旋回流室４１内の旋回流の影響を受けることなく直進流を安定して噴出させることができる。また、円筒部４４の外壁面周りに旋回を促進させることで旋回流を安定して噴出させることができる。
【００２７】
また、洗浄ノズル３０は、円筒部４４の高さＨｃを隙間４１ｄの高さＨｇより大きくするから、直進流の直進性を向上させると共に直進流の直進性に旋回流室４１の流れの影響が及ぶのを抑えることができる。
【００２８】
また、洗浄ノズル３０は、旋回流室４１の円筒状の内壁面４１ｂの接線方向に旋回流用供給路３７が接続されるから、旋回流室４１に流入した洗浄水を容易に旋回流とすることができる。
【００２９】
また、洗浄ノズル３０は、旋回流室４１の上部にテーパ状の内壁面４１ｃが設けられるから、旋回流の旋回性を損なうことなく噴出口３８から噴出させることができる。
【００３０】
また、洗浄ノズル３０は、噴出口３８の内径φａを直線状流路４５の内径φｂよりも大きくするから、直進流の直進性を損なうことなく旋回流の洗浄範囲を広くして洗浄効果を高めることができる。
【００３１】
また、衛生洗浄装置１０は、直進流用供給路３６への洗浄水の供給流量を調整する直進流量調整弁２４と、旋回流用供給路３７への洗浄水の供給流量を調整する旋回流量調整弁２５と、使用者からの流量比調整スイッチ１４ｄの調整操作に基づいて直進流量調整弁２４と旋回流量調整弁２５とを制御する制御装置６０とを備えるから、直進流と旋回流との流量比を変化させて使用者の好みの洗浄感をより適切に与えることができる。
【００３２】
上述した実施形態では、円筒部４４の高さＨｃが隙間４１ｄの高さＨｇより大きいものとしたが、これに限られず、高さＨｃが高さＨｇと略同じものとしてもよい。ただし、直進流の直進性を安定させるため高さＨｃが高さＨｇより大きいものが好ましい。
【００３３】
実施形態では、旋回流室４１の上部にテーパ状の内壁面４１ｃが設けられるものとしたが、これに限られず、半球状の内壁面４１ｃが設けられるものなどとしてもよいし、このような内壁面４１ｃが設けられないものとしてもよい。ただし、旋回流を安定して噴出させるためにテーパ状の内壁面４１ｃが設けられるものが好ましい。
【００３４】
実施形態では、噴出口３８の内径φａが直線状流路４５の内径φｂよりも大きいものとしたが、これに限られず、内径φａと内径φｂとを略同じものとしてもよい。ただし、直進流の直進性を向上させつつ旋回流の旋回範囲を広くして洗浄効果を高めるために、内径φａが内径φｂよりも大きいものが好ましい。
【００３５】
実施形態では、旋回流室４１の円筒状の内壁面４１ｂの接線方向に旋回流用供給路３７が接続されるものとしたが、これに限られず、旋回流室４１内に流入した洗浄水により旋回流が生成されるように旋回流用供給路３７が接続されるものであればよい。また、旋回流室４１の内壁面４１ｂと円筒部４４の外壁面との間に旋回流の生成を促進するための部材が設けられるものなどとしてもよい。図１３は変形例の先端部材１３５の構成図である。この変形例では、図示するように、旋回流室１４１の内壁面と円筒部４４の外壁面との間に、流線形に形成された複数の羽根状部材１４９が設けられている。各羽根状部材１４９は、円筒部４４と同軸となる円周上に周方向に間隔を空けて配置されている。このため、旋回流室１４１内に流入した洗浄水は、旋回流室１４１の内壁面と羽根状部材１４９との間や羽根状部材１４９と円筒部４４の外壁面との間などを流れて、旋回流の生成が促進されることになる。なお、図１３に示す羽根状部材１４９の形状や配置位置、数などは例示であり、旋回流の生成に適した形状や配置位置、数の部材を設けるものであればよい。
【００３６】
実施形態では、旋回流室４１の底面４１ａの中央から軸中心に一の直線状流路４５が設けられた円筒部４４が延在するものを例示したが、これに限られず、旋回流室４１の底面４１ａの中央から円柱状部が延在し、その内部に軸方向に沿って直線状に貫通する直線状流路が設けられるものであればよい。例えば、直線状流路が複数設けられるものなどとしてもよく、そのようにする場合、円柱状部の軸中心と同軸となる円周上に周方向に等間隔で複数の直線状流路が設けられるものなどとしてもよい。
【００３７】
実施形態では、使用者により直進流と旋回流との流量比を調整可能なものとしたが、これに限られず、直進流と旋回流との流量比が予め定められたものなどとしてもよい。
【００３８】
実施形態では、１の洗浄ノズル３０から直進流と旋回流とを噴出可能なものを例示して説明したが、これに限られず、複数の洗浄ノズル３０を備え、各洗浄ノズル３０からそれぞれ直進流と旋回流とを噴出可能としてもよい。そのようにする場合、直進流量調整弁２４から供給される洗浄水の供給先を複数の洗浄ノズル３０のいずれかに選択的に切り替える切替弁と、旋回流量調整弁２５から供給される洗浄水の供給先を複数の洗浄ノズル３０のいずれかに選択的に切り替える切替弁とを備えるものなどとし、両切替弁が同じ洗浄ノズル３０に洗浄水を供給するように制御するものなどとすればよい。
【００３９】
本実施形態の主要な要素と課題を解決するための手段の欄に記載した発明の主要な要素との対応関係について説明する。本実施形態では、噴出口３８が「噴出口」に相当し、洗浄ノズル３０が「洗浄ノズル」に相当し、旋回流用供給路３７が「所定の供給路」に相当し、旋回流室４１が「旋回流室」に相当し、ノズル本体３１が「ノズル本体」に相当し、円筒部４４が「円柱状部」に相当し、隙間４１ｄが「隙間」に相当し、直進流用供給路３６が「別の供給路」に相当し、直線状流路４５が「直線状流路」に相当する。また、内壁面４１ｂが「円筒状の内壁面」に相当する。また、内壁面４１ｃが「テーパ状の内壁面」に相当する。また、直進流量調整弁２４と旋回流量調整弁２５と制御装置６０とが「供給流量調整部」に相当し、衛生洗浄装置１０が「衛生洗浄装置」に相当する。
【００４０】
なお、本実施形態の主要な要素と課題を解決するための手段の欄に記載した発明の主要な要素との対応関係は、本実施形態が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、本実施形態は課題を解決するための手段の欄に記載した発明の具体的な一例に過ぎないものである。
【００４１】
以上、本発明を実施するための形態について説明したが、本発明はこうした実施形態に何等限定されるものではなく、本発明の要旨を逸脱しない範囲内において、種々なる形態で実施し得ることは勿論である。
【産業上の利用可能性】
【００４２】
本発明は、衛生洗浄装置の製造産業などに利用可能である。
【符号の説明】
【００４３】
１  便器、１０  衛生洗浄装置、１１  洗浄装置本体、１２  便座、１３  便蓋、１４  操作パネル、１４ａ  洗浄スイッチ、１４ｂ  停止スイッチ、１４ｃ  水勢調整スイッチ、１４ｄ  流量比調整スイッチ、１５  着座センサ、２０  ノズルユニット、２１ａ，２１ｂ  分岐流路、２２  給水減圧弁、２３  熱交換ユニット、２４  直進流量調整弁、２５  旋回流量調整弁、３０  洗浄ノズル、３１  ノズル本体、３２  ラックギヤ、３３  接続部、３３ａ  直進流用接続口、３３ｂ  旋回流用接続口、３４  基端部材、３５，１３５  先端部材、３６  直進流用供給路、３７  旋回流用供給路、３８  噴出口、４１，１４１  旋回流室、４１ａ  底面、４１ｂ，４１ｃ  内壁面、４１ｄ  隙間、４４  円筒部、４５  直線状流路、６０  制御装置、１４９  羽根状部材。
【図１】
2019124082.tif 000003
【図２】
2019124082.tif 000004
【図３】
2019124082.tif 000005
【図４】
2019124082.tif 000006
【図５】
2019124082.tif 000007
【図６】
2019124082.tif 000008
【図７】
2019124082.tif 000009
【図８】
2019124082.tif 000010
【図９】
2019124082.tif 000011
【図１０】
2019124082.tif 000012
【図１１】
2019124082.tif 000013
【図１２】
2019124082.tif 000014
【図１３】
2019124082.tif 000015